【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
着脱可能な記録媒体を用いる電子機器であって、
所定の通信機能を有する着脱可能な記録媒体に対し、用いる通信プロトコルが異なる２つの動作モードを含む複数の動作モードのうち、いずれかの動作モードを設定する設定手段と、
装着された記録媒体が前記所定の通信機能を有するかどうかを判定する判定手段と、
前記装着された記録媒体が前記所定の通信機能を有すると判定された場合に、前記装着された記録媒体がサポートする動作モードを検出する検出手段と、
前記動作モードに対応した項目が選択可能なメニューを表示する表示手段と、
前記メニューから前記動作モードに対応した項目が選択された場合、前記選択された項目に応じた動作モードで用いられる通信プロトコルを選択し、前記選択された通信プロトコルを用いて前記電子機器とは異なる外部装置と通信を行うように前記装着された記録媒体の前記所定の通信機能を制御する制御手段と、を有することを特徴とする電子機器。
【請求項２】
前記装着された記録媒体が複数の動作モードをサポートする場合、前記表示手段は、前記装着された記録媒体がサポートする複数の動作モードのそれぞれに対応する項目を含んだメニューを表示することを特徴とする請求項１に記載の電子機器。
【請求項３】
前記装着された記録媒体が前記所定の通信機能を有さないと判定された場合、前記メニューは前記電子機器が有する機能に対応する項目を含み、前記所定の通信機能を用いる機能に対応する項目を含まないことを特徴とする請求項１または請求項２に記載の電子機器。
【請求項４】
前記動作モードに対応した項目が、前記動作モードによって接続可能な代表的な外部機器を表す文字または画像として前記メニューに表示されることを特徴とする請求項１から請求項３のいずれか１項に記載の電子機器。
【請求項５】
前記所定の通信機能は無線通信を用いる機能であり、
前記所定の通信機能がアクセスポイントを通じて前記電子機器とは異なる外部機器との通信を行うものである場合、前記検出手段は、前記アクセスポイントが管理する無線ネットワークに接続してから、前記装着された記録媒体がサポートする動作モードを検出することを特徴とする請求項１から請求項４のいずれか１項に記載の電子機器。
【請求項６】
前記電子機器が撮像装置であり、前記メニューが、前記電子機器の表示装置に表示中の画像に対する機能メニューであることを特徴とする請求項１から請求項５のいずれか１項に記載の電子機器。
【請求項７】
前記所定の通信機能を有する記録媒体がサポートする動作モードは、ＰＴＰ（Ｐｉｃｔｕｒｅ  Ｔｒａｎｓｆｅｒ  Ｐｒｏｔｏｃｏｌ）を利用する第１のモードと、ＤＬＮＡ（Ｄｉｇｉｔａｌ  Ｌｉｖｉｎｇ  Ｎｅｔｗｏｒｋ  Ａｌｌｉａｎｃｅ）プロトコルを利用する第２のモードとを含むことを特徴とする請求項１から請求項６のいずれか１項に記載の電子機器。
【請求項８】
前記所定の通信機能を有する記録媒体がサポートする動作モードは、プリントのためのプロトコルを利用するモードを含むことを特徴とする請求項１から請求項７のいずれか１項に記載の電子機器。
【請求項９】
前記所定の通信機能を有する記録媒体はメモリカードであることを特徴とする請求項１から請求項８のいずれか１項に記載の電子機器。
【請求項１０】
前記所定の通信機能は無線通信を用いる機能であり、
前記表示手段は無線ネットワークへの接続前に前記メニューを表示することを特徴とする請求項１から請求項９のいずれか１項に記載の電子機器。
【請求項１１】
前記制御手段は、前記無線ネットワークへの接続前に前記通信プロトコルを選択するよう制御することを特徴とする請求項１０に記載の電子機器。
【請求項１２】
前記動作モードに対応する項目が前記メニューから選択された場合、前記設定手段は前記選択された項目に対応する前記動作モードを前記装着された記録媒体に設定することを特徴とする請求項１から請求項１１のいずれか１項に記載の電子機器。
【請求項１３】
前記選択された項目に対応する動作モードが前記装着された記録媒体に現在設定されている動作モードと異なる場合、前記設定手段は前記選択された項目に対応する動作モードを前記装着された記録媒体に設定することを特徴とする請求項１から請求項１２のいずれか１項に記載の電子機器。
【請求項１４】
着脱可能な記録媒体を用いる電子機器の制御方法であって、
設定手段が、所定の通信機能を有する着脱可能な記録媒体に対し、用いる通信プロトコルが異なる２つの動作モードを含む複数の動作モードのうち、いずれかの動作モードを設定する設定工程と、
判定手段が、装着された記録媒体が前記所定の通信機能を有するかどうかを判定する判定工程と、
検出手段と、前記装着された記録媒体が前記所定の通信機能を有すると判定された場合に、前記装着された記録媒体がサポートする動作モードを検出する検出工程と、
表示手段が、前記動作モードに対応した項目が選択可能なメニューを表示する表示工程と、
制御手段が、前記メニューから前記動作モードに対応した項目が選択された場合、前記選択された項目に応じた動作モードで用いられる通信プロトコルを選択し、前記選択された通信プロトコルを用いて前記電子機器とは異なる外部装置と通信を行うように前記装着された記録媒体の前記所定の通信機能を制御する制御工程と、を有することを特徴とする電子機器の制御方法。
【請求項１５】
着脱可能な記録媒体を用いる電子機器のコンピュータに、請求項１４記載の電子機器の制御方法の各工程を実行させるためのプログラム。
【手続補正２】
【補正対象書類名】明細書
【補正対象項目名】００１１
【補正方法】変更
【補正の内容】
【００１１】
上述の目的は、着脱可能な記録媒体を用いる電子機器であって、所定の通信機能を有する着脱可能な記録媒体に対し、用いる通信プロトコルが異なる２つの動作モードを含む複数の動作モードのうち、いずれかの動作モードを設定する設定手段と、装着された記録媒体が所定の通信機能を有するかどうかを判定する判定手段と、装着された記録媒体が所定の通信機能を有すると判定された場合に、装着された記録媒体がサポートする動作モードを検出する検出手段と、動作モードに対応した項目が選択可能なメニューを表示する表示手段と、メニューから動作モードに対応した項目が選択された場合、選択された項目に応じた動作モードで用いられる通信プロトコルを選択し、選択された通信プロトコルを用いて電子機器とは異なる外部装置と通信を行うように装着された記録媒体の所定の通信機能を制御する制御手段と、を有することを特徴とする電子機器によって達成される。
【手続補正３】
【補正対象書類名】明細書
【補正対象項目名】００１６
【補正方法】変更
【補正の内容】
【００１６】
（第１の実施形態）
図１は、ＤＳＣ１００の機能構成例を示すブロック図である。
制御部１０１は、例えばＣＰＵ，ＭＰＵなどプログラマブルなプロセッサであり、ＤＳＣ１００全体の制御を司る。不揮発性メモリ１０２は制御部１０１の処理手順（プログラム）や、ＤＳＣ１００の各種設定やメニュー画面などのＧＵＩ（Graphical User Interface）データなどを記憶する。ＲＡＭ１０３は制御部１０１のワークエリアとして使用される。操作部１０４はボタン並びにスイッチ群であり、ユーザがＤＳＣ１００に各種指示を与えるために用いられる。表示部１０５は例えばＬＣＤ(Liquid Crystal Display)であり、撮影した画像や、各種設定を行う際のメニュー画面を表示するために使用される。光学ユニット１０６は主としてレンズ（ズームレンズ、フォーカスレンズなど）及びその駆動を行うアクチュエータ等で構成される。撮像素子１０７はＣＣＤイメージセンサやＣＭＯＳイメージセンサである。ドライバ１０８は制御部１０１の制御下において光学ユニット１０６を制御する。コネクタ１０９は着脱可能な記録媒体であるメモリカード１２０を接続するためのコネクタである。後述するように、コネクタは無線通信機能を有さない通常メモリカードと、無線通信機能を有する無線メモリカードいずれも装着することが可能である。無線メモリカードについては後述するが、本実施形態ではメモリカード１２０として無線メモリカードが装着されているものとする。インタフェース（Ｉ／Ｆ）１５０は例えばＵＳＢ，ＩＥＥＥ１９３４，ＨＤＭＩなどのデジタルインタフェースであり、有線接続により外部機器と接続するために用いられる。
【手続補正４】
【補正対象書類名】明細書
【補正対象項目名】００３６
【補正方法】変更
【補正の内容】
【００３６】
Ｓ５１５において制御部１０１は、再生機能メニューを表示部１０５に表示する。ここで表示される再生機能メニューは、メモリカード１２０が通常メモリカードの場合はＤＳＣ１００がもともと持っている（メモリカード１２０が無線メモリカードであるかどうかに依存しない）機能のみを含んだ基本メニューである。
一方、メモリカード１２０が無線メモリカードの場合は、基本メニューに対してＳ５０９，Ｓ５１１，Ｓ５１３の判定に応じて項目が追加された再生機能メニュー（拡張メニュー）が表示される。
なお、Ｓ５０９，Ｓ５１１，Ｓ５１３における判定の方法は例えばメモリカード１２０の規格等に応じた任意の方法で行うことができる。
【手続補正５】
【補正対象書類名】明細書
【補正対象項目名】００３７
【補正方法】変更
【補正の内容】
【００３７】
図６はＳ５１５において再生機能メニューを表示した時の表示部１０５の例を示している。
図６（ａ）〜（ｃ）の左側に、Ｓ５１５における再生機能メニュー（基本メニュー）の表示例を模式的に示している。再生機能メニュー（基本メニュー）には、画像回転機能、画像削除機能、お気に入り登録機能、画像保護機能をそれぞれ示すアイコン６０１〜６０４が含まれている。なお、再生機能メニューの表示欄はスクロール可能であり、アイコンで示される項目の数が１画面内に表示可能な数を超える場合にはアイコンの並び方向（図６（ａ）では上下方向）にスクロールする。
【手続補正６】
【補正対象書類名】明細書
【補正対象項目名】００４４
【補正方法】変更
【補正の内容】
【００４４】
同様に、プリンタのアイコン６０６が選択された場合、制御部１０１はＳ７０１で印刷プロトコルを用いてネットワーク接続処理を開始する。そして、制御部１０１は印刷プロトコルで接続可能な外部装置（例えばプリンタ）を検索するために印刷プロトコルでデバイス発見コマンドをブロードキャストする（Ｓ７０２）。制御部１０１は、デバイス発見コマンドに応答してきた外部装置の情報（デバイス名など）を表示部１０５に選択可能に一覧表示し、その中から選択された外部装置と印刷プロトコルで接続する（Ｓ７０３）。
接続が完了するとＤＳＣ１００と選択された外部装置は通信可能となり、ＤＳＣ１００から送信した画像データが外部装置（例えばプリンタ）で印刷される。
【手続補正７】
【補正対象書類名】明細書
【補正対象項目名】００４５
【補正方法】変更
【補正の内容】
【００４５】
また、ＰＣのアイコン６０７が選択された場合、制御部１０１は、制御部１０１はＳ７０１でカメラ操作モードでのネットワーク接続処理を開始する。カメラ操作モードにおける制御部１０１は、無線通信はメモリカード１２０内のプロトコルスタックを用いて行うよう制御し、ＰＴＰ通信はＤＳＣ１００内のプロトコルスタックを用いて行うよう制御する。制御部１０１は、カメラ操作モードで接続可能な外部装置（例えばＰＣ）を検索するためにデバイス発見コマンドをブロードキャストする（Ｓ７０２）。制御部１０１は、デバイス発見コマンドに応答してきた外部装置の情報（デバイス名など）を表示部１０５に選択可能に一覧表示し、その中から選択された外部装置と無線プロトコル及びPTPで接続する（Ｓ７０３）。
【手続補正８】
【補正対象書類名】明細書
【補正対象項目名】００６０
【補正方法】変更
【補正の内容】
【００６０】
ネットワーク接続機能のアイコン９０１が選択されると、ＤＳＣ１００は無線ネットワークに接続し、メモリカード１２０がＤＬＮＡモード、カメラ操作モード、印刷モードのどれでも動作可能な場合、図９の右に示すような再生機能メニューとなる。ＤＬＮＡモードで動作可能なことを示すテレビのアイコン９０２と、印刷モードで動作可能なことを示すプリンタのアイコン９０３と、カメラ操作モードで動作可能なことを示すＰＣのアイコン９０４が追加表示されている。
【手続補正９】
【補正対象書類名】図面
【補正対象項目名】図５
【補正方法】変更
【補正の内容】
【図５】
2014165867.tif 000001
【手続補正１０】
【補正対象書類名】図面
【補正対象項目名】図８
【補正方法】変更
【補正の内容】
【図８】
2014165867.tif 000002